(57)【要約】【課題】車両座席に対して前向き、後向きのいずれに設置しても、前方衝突時の挙動が小さく、又、バケット形状の車両座席においても、安定した状態で設置出来るチャイルドシートが望まれていた。【解決手段】本発明のチャイルドシートは、角度調整手段がチャイルドシート本体の底面における車両座席との当接部と前記チャイルドシート本体の下部に配置された設置位置可変手段を有する支持脚で構成され、前向きの設置状態においては、チャイルドシート本体の底面の前方に略平面状の幅広面を形成した支持脚を配置し、後向きの設置状態においては、チャイルドシート本体の底面下部に中央部が下方に突出した支持脚を配置する事を特徴とする。【選択図】図１
2006151299.tif 000002
【特許請求の範囲】
【請求項１】
乳幼児の着座面と乳幼児の拘束手段を有し、前記着座面を車両の進行方向と同一方向に向けて車両座席に設置する第1の設置形態と、前記着座面を車両の進行方向と反対方向に向けて車両座席に設置する第２の設置形態を有するチャイルドシートにおいて、前記第1の設置形態と第２の設置形態で前記車両座席に対するチャイルドシート本体の着座面角度を夫々個別に設定可能な角度調整手段を有し、前記角度調整手段がチャイルドシート本体の底面における車両座席との当接部と、前記チャイルドシート本体の下部に配置された設置位置可変手段を有する支持脚で構成され、更に、前記第1の設置形態において、前記支持脚の車両座席との当接部が前記チャイルドシート本体の底面先端部よりも前方に設置される事を特徴とするチャイルドシート。
【請求項２】
乳幼児の着座面と乳幼児の拘束手段を有し、前記着座面を車両の進行方向と同一方向に向けて車両座席に設置する第1の設置形態と、前記着座面を車両の進行方向と反対方向に向けて車両座席に設置する第２の設置形態を有するチャイルドシートにおいて、前記第1の設置形態と第２の設置形態で前記車両座席に対するチャイルドシート本体の着座面角度を夫々個別に設定可能な角度調整手段を有し、前記角度調整手段がチャイルドシート本体の底面における車両座席との当接部と前記チャイルドシート本体の下部に配置された設置位置可変手段を有する支持脚で構成され、更に、チャイルドシート本体の車両座席との当接部は、前記第1の設置位置において底面前方に構成される第１の当接部と、前記第２の設置位置において底面後方に構成される第２の当接部から成る少なくとも２つの異なる当接部を有し、前記第２の設置形態において、前記支持脚の車両座席との当設部が前記第１の当接部の下方に位置する事を特徴とするチャイルドシート。
【請求項３】
乳幼児の着座面と乳幼児の拘束手段を有し、前記着座面を車両の進行方向と同一方向に向けて車両座席に設置する第1の設置形態と前記着座面を車両の進行方向と反対方向に向けて車両座席に設置する第２の設置形態を有するチャイルドシートにおいて、前記第1の設置形態と第２の設置形態で前記車両座席に対するチャイルドシート本体の着座面角度を夫々個別に設定可能な角度調整手段を有し、前記角度調整手段がチャイルドシート本体の底面における車両座席との当接部と前記チャイルドシート本体の下部に配置された設置位置可変手段を有する支持脚で構成され、更に、前記支持脚の車両座席との当接面形状が、前記第1の設置形態において略平面状の幅広面を形成し、前記第２の設置形態において左右両側方部に対して中央部が下方に突出した、略Ｕ字型面を形成する事を特徴とするチャイルドシート。
【発明の詳細な説明】
【技術分野】
【０００１】
本発明は乳幼児が車両に乗車した際に安全に身体を拘束する、チャイルドシートに関するものであり、特に、車両への取り付け方向を変更可能なチャイルドシートに関するものである。
【背景技術】
【０００２】
従来のチャイルドシートにおいては、図１１、図１２に示すように、チャイルドシート本体１の底面２の車両座席との当設部４と、前記チャイルドシート本体１の下部５において回動可能に配置された支持脚６とで構成された、角度調整手段を備えた構造が知られている。
【０００３】
この、従来のチャイルドシートにおける支持脚６は、チャイルドシート本体１の底面２の前後略中央位置において枢支軸７によって前後方向に回動可能に軸支される構造であり、前記支持脚６を前方向に回動した状態では、チャイルドシート本体１の前部底面２に設けた凹部８に収納され、前記支持脚６を後方向に回動した状態では、前記支持脚６の車両座席との当接部９がチャイルドシート本体１の底面２の後部下方に、張り出す構成となっている。
【０００４】
又、従来の他のチャイルドシートにおいては、図１３に示すようにチャイルドシート本体１の着座面１０を車両の進行方向と同一方向に向けて設置する、第1の設置形態と、図１４に示すように前記チャイルドシート本体１の着座面１０を車両の進行方向と反対方向に向けて設置する第２の設置形態を有し、前記チャイルドシート本体１の当設部４が、前記第1の設置形態において底面２の前方に構成された第１の当接部４ａと、前記第２の設置形態において底面２の後方に構成された第２の当接部４ｂを有するチャイルドシートが知られている。
【０００５】
この従来の他のチャイルドシートにおいては、チャイルドシート本体１の底面２の所定位置に着脱可能な支持脚６を配置し、前記チャイルドシート本体１を車両座席３に設置した際に、第1の設置形態においては、前記支持脚６の車両座席３との当接部９が、前記第２の当接部４ｂの下方付近に位置し、第２の設置形態においては、前記支持脚６の車両座席３との当接部９が、前記第２の当接部４ｂの後方に延在する構成となっている。
【特許文献１】特開平１１−２９１７９９号
【特許文献２】実公平６−７９７２号
【発明の開示】
【発明が解決しようとする課題】
【０００６】
チャイルドシートは安全基準により、首のすわっていない乳児用途においては、チャイルドシート本体の着座面を車両の進行方向と反対方向に向けて、車両座席の座面仰角１５°の試験シートに設置した状態で、シートベルトにより車両座席に固定して試験を行うが、着座面１０の背面角度を垂直面から６０°以内の範囲において、なるべく寝かして使用する事が望まれている。又、首のすわった体重約１０ｋｇ以上の幼児用途においては、チャイルドシート本体の着座面を車両の進行方向と同一方向に向けて、車両座席の座面仰角１５°の試験シートに設置しシートベルトにより車両座席に固定して試験を行うが、その場合は着座面の背面角度は一般的に垂直面から２０°前後に設定される。
【０００７】
従って、首のすわっていない乳児と、首のすわった体重約１０ｋｇ以上の幼児の両者が使用可能なチャイルドシートにおいては、夫々の設置方法に適応した角度調整手段が必要となる。
【０００８】
そして、チャイルドシート本体の着座面を車両の進行方向と反対方向に向けて設置し車両のシートベルトにより車両座席に固定した場合には、前方衝突時にチャイルドシートが前記シートベルトとの固定部を中心に回転運動をしながら前方に移動した後に反動で、逆方向に回転運動をしながら後ろ方向に戻ってくるリバウンド現象により、乳児の頭部を、車両座席の背もたれ部に強打する恐れがあり、前記リバウンド現象を軽減する、チャイルドシートの構造が望まれている。
【０００９】
又、チャイルドシート本体の着座面を車両の進行方向に向けて設置し車両のシートベルトにより車両座席に固定した場合には、前方衝突時にチャイルドシートが前記シートベルトとの固定部を中心に回転運動をしながら前方に移動し、チャイルドシートの前方の構造物に幼児の頭部を強打する恐れがあり、前記回転運動を軽減するチャイルドシートの設置構造が望まれている。
【００１０】
更に、近年の車両座席においては、図１５に示す様に、車両座席１０の左右方向の中央部１１が、背もたれ方向に向かって、徐々に深く、又、狭く臀部形状に合せて凹んでいるバケット状のシートが増加しており、その様な車両座席にチャイルドシートを装着した際にも、不具合が生ずる事なく安定して設置固定出来る構造が望まれている。
【００１１】
しかしながら、従来のチャイルドシートは、着座面を車両の進行方向と反対方向に向けて設置し車両のシートベルトにより車両座席に固定した場合において、前方衝突時にチャイルドシートが前記シートベルトとの固定部を中心に回転運動をしながら前方に移動した後に反動で、逆方向に回転運動をしながら後ろ方向に戻ってくるリバウンド現象を軽減する対策が十分ではなかった。
【００１２】
又、従来のチャイルドシートはチャイルドシート本体１の着座面を車両の進行方向に向けて設置し車両のシートベルトにより車両座席に固定した場合において、前方衝突時にチャイルドシートが前記シートベルトとの固定部を中心に回転運動をしながら前方に移動する現象を軽減する対策が十分ではなかった。
【００１３】
本発明は、上記のような欠点を除くようにしたものである。
【課題を解決するための手段】
【００１４】
本発明のチャイルドシートは、乳幼児の着座面と乳幼児の拘束手段を有し、前記着座面を車両の進行方向と同一方向に向けて車両座席に設置する第1の設置形態と、前記着座面を車両の進行方向と反対方向に向けて車両座席に設置する第２の設置形態を有するチャイルドシートにおいて、前記第1の設置形態と第２の設置形態で前記車両座席に対するチャイルドシート本体の着座面角度を夫々個別に設定可能な角度調整手段を有し、前記角度調整手段がチャイルドシート本体の底面における車両座席との当接部と、前記チャイルドシート本体の下部に配置された設置位置可変手段を有する支持脚で構成され、更に、前記第1の設置形態において、前記支持脚の車両座席との当接部が前記チャイルドシート本体の底面先端部よりも前方に設置される事を特徴とする。
【００１５】
本発明のチャイルドシートは、乳幼児の着座面と乳幼児の拘束手段を有し、前記着座面を車両の進行方向と同一方向に向けて車両座席に設置する第1の設置形態と、前記着座面を車両の進行方向と反対方向に向けて車両座席に設置する第２の設置形態を有するチャイルドシートにおいて、前記第1の設置形態と第２の設置形態で前記車両座席に対するチャイルドシート本体の着座面角度を夫々個別に設定可能な角度調整手段を有し、前記角度調整手段がチャイルドシート本体の底面における車両座席との当接部と前記チャイルドシート本体の下部に配置された設置位置可変手段を有する支持脚で構成され、更に、チャイルドシート本体の車両座席との当接部は、前記第1の設置位置において底面前方に構成される第１の当接部と、前記第２の設置位置において底面後方に構成される第２の当接部から成る少なくとも２つの異なる当接部を有し、前記第２の設置形態において、前記支持脚の車両座席との当設部が前記第１の当接部の下方に位置する事を特徴とする。
【００１６】
本発明のチャイルドシートは、乳幼児の着座面と乳幼児の拘束手段を有し、前記着座面を車両の進行方向と同一方向に向けて車両座席に設置する第1の設置形態と前記着座面を車両の進行方向と反対方向に向けて車両座席に設置する第２の設置形態を有するチャイルドシートにおいて、前記第1の設置形態と第２の設置形態で前記車両座席に対するチャイルドシート本体の着座面角度を夫々個別に設定可能な角度調整手段を有し、前記角度調整手段がチャイルドシート本体の底面における車両座席との当接部と前記チャイルドシート本体の下部に配置された設置位置可変手段を有する支持脚で構成され、更に、前記支持脚の車両座席との当接面形状が、前記第1の設置形態において略平面状の幅広面を形成し、前記第２の設置形態において左右両側方部に対して中央部が下方に突出した、略Ｕ字型面を形成する事を特徴とする。
【発明の効果】
【００１７】
上記のように本発明のチャイルドシートは、前記第１の設置形態において、支持脚における車両座席との当接部が前記チャイルドシート本体の底面先端部よりも前方に配置される事により、前方衝突時にチャイルドシートが前記シートベルトとの固定部を中心に回転運動する回転モーメントの吸収面を増大させる事が出来、更にその吸収位置が回転中心から最も離れた位置となるために前記当接部単位面積当たりの回転モーメントの吸収率を最大とする事が出来、チャイルドシートの前方の構造物に幼児の頭部を強打する事を、効率的に防止、若しくは軽減できる。
【００１８】
又、本発明のチャイルドシートは、前記第２の設置形態において、前記支持脚の車両座席との当設部が前記第１の当接部の下方に位置する事により、前方衝突時にチャイルドシートが前記シートベルトとの固定部を中心に回転運動をしながら前方に移動した後に反動で、逆方向に回転運動をしながら後ろ方向に戻ってくるリバウンド現象時の回転モーメントの吸収面を増大させる事が出来、更にその吸収位置が回転中心から離れた位置となるために前記当設部単位面積当たりの回転モーメントの吸収率を上げる事が出来、リバウンド現象により乳児の頭部を、車両の座席の背もたれ部に強打する事を、効率的に防止、若しくは軽減できる。
【００１９】
更に本発明のチャイルドシートは、前記第１の設置形態においては、支持脚の車両座席との当接部の形状が、略平面状の幅広面を形成するため前方衝突時にチャイルドシートが前記シートベルトとの固定部を中心に回転運動する回転モーメントの吸収面を効率的に増大させる事が出来、又、前記第２の設置形態においては、支持脚の車両座席との当接面が、左右両側方部に対して中央部が下方に突出した略Ｕ字型面を形成しているため、車両座席の左右方向の中央部が、背もたれ方向に向かって、徐々に深く、又、狭く臀部形状に合せて凹んでいるバケット状のシートにおいても、支持脚を前記車両座席の中央部にしっかりと当接させる事が出来るため、前方衝突時にチャイルドシートが前記シートベルトとの固定部を中心に回転運動をしながら前方に移動した後に反動で、逆方向に回転運動をしながら後ろ方向に戻ってくるリバウンド現象時の回転モーメントの吸収面を、車種による車両座席の形状の差異の影響を受ける事がなく、増大させる事が出来、安全にチャイルドシートを車両座席に設置する事が出来る。
【発明を実施するための最良の形態】
【００２０】
以下、図面を参照しつつ、本発明の実施の形態について説明する。
【実施例１】
【００２１】
本発明のチャイルドシートの第１の実施例においては、図１に示すように、乳幼児の着座面１０と乳幼児の拘束手段１５を有し、前記着座面１０を車両の進行方向と同一方向に向けて車両座席３に設置する第1の設置形態と、図２に示すように、前記着座面１０を車両の進行方向と反対方向に向けて車両座席３に設置する第２の設置形態を有し、前記第1の設置形態と第２の設置形態で前記車両座席３に対するチャイルドシートの着座面１０の角度を夫々個別に設定可能な角度調整手段を有し、前記角度調整手段がチャイルドシート本体１の底面における車両座席３との当接部４と、前記チャイルドシート本体１の下部に枢支軸７により回動可能に軸支された支持脚６で構成される。  
【００２２】
更にチャイルドシートの車両座席３との当接部４は、前記第1の設置位置において底面２の前方に構成される第１の当接部４ａと、前記第２の設置位置において底面２の後方に構成される第２の当接部４ｂから成る少なくとも２つの異なる設置角度を有する当接部を有し、前記第1の設置形態において前記支持脚６の車両座席３との当接部９が前記チャイルドシート本体１の底面先端部よりも前方に位置する様に設置され、前記第２の設置形態において前記支持脚６の車両座席３との当接部９が前記第１の当接部４ａの下方に位置する様に構成される。
【００２３】
又、前記支持脚６の車両座席３との当接部９の形状は、図３〜図７に示すように前記第1の設置形態における車両座席３との当接面が略平面状の幅広面１２を形成し、図８に示すように前記第２の設置形態における車両座席３との当接面が左右両側方部に対して中央部が下方に突出した、略Ｕ字型面１３を形成する。
【実施例２】
【００２４】
本発明のチャイルドシートの第２の実施例においては、乳幼児の着座面１０と乳幼児の拘束手段を有し、図９に示すように前記着座面１０を車両の進行方向と同一方向に向けて車両座席に設置する第1の設置形態と、図１０に示すように前記着座面１０を車両の進行方向と反対方向に向けて車両座席に設置する第２の設置形態を有し、前記第1の設置形態と第２の設置形態で前記車両座席に対するチャイルドシート本体１の着座面１０の角度を夫々個別に設定可能な角度調整手段を有し、前記角度調整手段がチャイルドシート本体１の底面２における車両座席との当接部４と、前記チャイルドシート本体１の下部５の前方若しくは下部後方の何れか一方に着脱可能に構成された支持脚１４を有する。
【００２５】
更にチャイルドシートの車両座席との当接部４は、前記第1の設置位置において底面２の前方に構成される第１の当接部４ａと、前記第２の設置位置において底面２の後方に構成される第２の当接部４ｂから成る少なくとも２つの異なる設置角度を有する当接部を有し、前記第1の設置形態において前記支持脚１４の車両座席との当接部９が前記チャイルドシート本体１の底面２の先端部よりも前方に位置する様に設置され、前記第２の設置形態において前記支持脚１４の車両座席との当接部９が前記第１の当接部４ａの下方に位置する様に構成される。
【００２６】
又、前記支持脚１４の車両座席との当接部形状は、前記第1の設置形態における車両座席との当接面が略平面状の幅広面１２を形成し、前記第２の設置形態における車両座席との当接面が左右両側方部に対して中央部が下方に突出した、略Ｕ字型面１３を形成する。
【図面の簡単な説明】
【００２７】
【図１】本発明のチャイルドシートを前向きに車両座席に設置した状態を側面図である。（実施例１）
【図２】本発明のチャイルドシートを後向きに車両座席に設置した状態の側面図である。（実施例１）
【図３】本発明のチャイルドシートを前向きに設置する際の説明斜視図である。（実施例１）
【図４】本発明のチャイルドシートを後向きに設置する際の説明斜視図である。（実施例１）
【図５】本発明のチャイルドシートの支持脚の参考平面図である。（実施例１）
【図６】本発明のチャイルドシートの支持脚の参考正面図である。（実施例１）
【図７】本発明のチャイルドシートを前向きに車両座席に設置した状態の参考正面図である。（実施例１）
【図８】本発明のチャイルドシートを後向きに車両座席に設置した状態の参考背面図である。（実施例１）
【図９】本発明のチャイルドシートを前向きに設置する際の分解斜視図である。（実施例２）
【図１０】本発明のチャイルドシートを後向きに設置する際の分解斜視図である。（実施例２）
【図１１】従来のチャイルドシートの斜視図である。
【図１２】従来のチャイルドシートの斜視図である。
【図１３】従来のチャイルドシートの斜視図である。
【図１４】従来のチャイルドシートの斜視図である。
【図１５】バケットタイプの車両座席の参考斜視図である。
【符号の説明】
【００２８】
１      チャイルドシート本体
２      底面
３      車両座席
４      当接部
４ａ    第１の当接部
４ｂ    第２の当接部
５      下部
６      支持脚
７      枢支軸
８      凹部
９      当接部  
１０    着座面  
１１    中央部
１２    幅広面
１３    略Ｕ字型面
１４    支持脚
１５    拘束手段
【図１】
2006151299.tif 000003
【図２】
2006151299.tif 000004
【図３】
2006151299.tif 000005
【図４】
2006151299.tif 000006
【図５】
2006151299.tif 000007
【図６】
2006151299.tif 000008
【図７】
2006151299.tif 000009
【図８】
2006151299.tif 000010
【図９】
2006151299.tif 000011
【図１０】
2006151299.tif 000012
【図１１】
2006151299.tif 000013
【図１２】
2006151299.tif 000014
【図１３】
2006151299.tif 000015
【図１４】
2006151299.tif 000016
【図１５】
2006151299.tif 000017